(57)【要約】【課題】発信元装置として任意の電話機を使用できる通話料金抑制装置等を提供すること【解決手段】通話料金抑制装置は、発信側装置からの接続要求を受信し回線を通話状態とする着信処理部と、発信側装置との通話状態を切断する回線切断処理部と、発信側装置の電話番号を取得する発信元電話番号解析部と、受信側装置の電話番号を取得する宛先電話番号解析部と、発信側装置と受信側装置にＶｏＩＰ網を介して接続要求を発信し回線を通話状態とする発信処理部と、発信側装置から受信したデータを受信側装置に、受信側装置から受信したデータを発信側装置に、それぞれ送信するルーティング処理部とを備えている。【選択図】図２
2008258963.tif 000002
【特許請求の範囲】
【請求項１】
発信側装置からの接続要求を受信し回線を通話状態とする着信処理部と、
前記発信側装置との通話状態を切断する回線切断処理部と、
前記発信側装置の電話番号を取得する発信元電話番号解析部と、
受信側装置の電話番号を取得する宛先電話番号解析部と、
前記発信側装置と前記受信側装置にＶｏＩＰ網を介して接続要求を発信し回線を通話状態とする発信処理部と、
前記発信側装置から受信したデータを前記受信側装置に、前記受信側装置から受信したデータを前記発信側装置に、それぞれ送信するルーティング処理部と、
を備えた通話料金抑制装置。
【請求項２】
前記着信処理部は、前記ＶｏＩＰ網に接続され前記ＶｏＩＰ網および公衆回線網を介して前記接続要求を受信することを特徴とした請求項１に記載の通話料金抑制装置。
【請求項３】
前記着信処理部は、公衆回線網に接続され前記公衆回線網を介して前記接続要求を受信することを特徴とした請求項１に記載の通話料金抑制装置。
【請求項４】
前記回線切断処理部は、前記発信元電話番号取得部が有効な前記発信側装置の電話番号を取得できなかった場合には作動しないことを特徴とした請求項１ないし請求項３のいずれかひとつに記載の通話料金抑制装置。
【請求項５】
前記発信元電話番号取得部は、交換機から受信した発信元電話番号通知を解析して前記発信元電話番号を取得することを特徴とした請求項１ないし請求項４のいずれかひとつに記載の通話料金抑制装置。
【請求項６】
前記宛先電話番号取得部は、前記発信側装置からプッシュ音により前記着信側装置の電話番号の入力を受けることを特徴とした請求項１ないし請求項５のいずれかひとつに記載の通話料金抑制装置。
【請求項７】
利用者の認証を行う認証処理部を備え、
前記発信元電話番号取得部、前記宛先電話番号取得部、前記回線接続処理部、前記ルーティング部は、前記認証処理部が前記認証に成功した場合に作動することを特徴とした請求項１ないし請求項６のいずれかひとつに記載の通話料金抑制装置。
【請求項８】
前認証処理部は、前記発信側装置からプッシュ音によりパスワードの入力を受け、このパスワードに基づいて前記認証を行うことを特徴とした請求項７に記載の通話料金抑制装置。
【請求項９】
コンピュータに、
発信側装置からの接続要求を受信し回線を通話状態とする着信処理と、
前記発信側装置との通話状態を切断する回線切断処理と、
前記発信側装置の電話番号を取得する発信元電話番号解析処理と、
受信側装置の電話番号を取得する宛先電話番号解析処理と、
前記発信側装置と前記受信側装置にＶｏＩＰ網を介して接続要求を発信し回線を通話状態とする発信処理と、
前記発信側装置から受信したデータを前記受信側装置に、前記受信側装置から受信したデータを前記発信側装置に、それぞれ送信するルーティング処理と、
を実行させる通話料金抑制プログラム。
【請求項１０】
前記着信処理では、前記ＶｏＩＰ網および公衆回線網を介して前記接続要求を受信することを特徴とした請求項９に記載の通話料金抑制プログラム。
【請求項１１】
前記着信処理では、公衆回線網を介して前記接続要求を受信することを特徴とした請求項９に記載の通話料金抑制プログラム。
【請求項１２】
前記発信元電話番号取得処理で有効な前記発信側装置の電話番号を取得できなかった場合には、前記コンピュータに前記回線切断処理を実行させないことを特徴とした請求項９ないし請求項１１のいずれかひとつに記載の通話料金抑制プログラム。
【請求項１３】
前記発信元電話番号取得処理では、交換機から受信した発信元電話番号通知を解析して前記発信元電話番号を取得することを特徴とした請求項９ないし請求項１２のいずれかひとつに記載の通話料金抑制プログラム。
【請求項１４】
前記宛先電話番号取得処理では、前記発信側装置からプッシュ音により前記着信側装置の電話番号の入力を受けることを特徴とした請求項９ないし請求項１３のいずれかひとつに記載の通話料金抑制プログラム。
【請求項１５】
利用者の認証を行う認証処理を前記コンピュータに実行させ、
前記発信元電話番号取得処理、前記宛先電話番号取得処理、前記回線接続処理、前記ルーティング処理を、前記認証処理で前記認証に成功した場合に前記コンピュータに実行させることを特徴とした請求項９ないし請求項１４のいずれかひとつに記載の通話料金抑制プログラム。
【請求項１６】
前認証処理では、前記発信側装置からプッシュ音によりパスワードの入力を受け、このパスワードに基づいて前記認証を行うことを特徴とした請求項１５に記載の通話料金抑制プログラム。
【請求項１７】
発信側装置からの接続要求を受信し回線を通話状態とする着信工程と、
前記発信側装置の電話番号を取得する発信元電話番号解析工程と、
前記発信側装置との通話状態を切断する回線切断工程と、
前記発信側装置にＶｏＩＰ網を介して接続要求を発信し、回線を通話状態とするコールバック工程と、
受信側装置の電話番号を取得する宛先電話番号解析工程と、
前記受信側装置に前記ＶｏＩＰ網を介して接続要求を発信し回線を通話状態とする発信工程と、
前記発信側装置から受信したデータを前記受信側装置に、前記受信側装置から受信したデータを前記発信側装置に、それぞれ送信するルーティング工程と、
を備えた通話料金抑制方法。
【請求項１８】
前記着信工程では、前記ＶｏＩＰ網および公衆回線網を介して前記接続要求を受信することを特徴とした請求項１７に記載の通話料金抑制方法。
【請求項１９】
前記着信工程では、公衆回線網を介して前記接続要求を受信することを特徴とした請求項１７に記載の通話料金抑制方法。
【請求項２０】
前記回線切断工程および前記コールバック工程を、前記発信元電話番号取得工程で有効な前記発信側装置の電話番号を取得できなかった場合には実行しないことを特徴とした請求項１７ないし請求項１９のいずれかひとつに記載の通話料金抑制方法。
【請求項２１】
前記発信元電話番号取得工程では、交換機から受信した発信元電話番号通知を解析して前記発信元電話番号を取得することを特徴とした請求項１７ないし請求項２０のいずれかひとつに記載の通話料金抑制方法。
【請求項２２】
前記宛先電話番号取得工程では、前記発信側装置からプッシュ音により前記着信側装置の電話番号の入力を受けることを特徴とした請求項１７ないし請求項２１のいずれかひとつに記載の通話料金抑制方法。
【請求項２３】
利用者の認証を行う認証工程を備え、
前記発信元電話番号取得工程、前記宛先電話番号取得工程、前記発信工程、前記ルーティング工程を、前記認証工程で前記認証に成功した場合に実行することを特徴とした請求項１７ないし請求項２２のいずれかひとつに記載の通話料金抑制方法。
【請求項２４】
前認証工程では、前記発信側装置からプッシュ音によりパスワードの入力を受け、このパスワードに基づいて前記認証を行うことを特徴とした請求項２３に記載の通話料金抑制方法。
【発明の詳細な説明】
【技術分野】
【０００１】
本発明は、通話料金を抑制する技術に関し、特にＶｏＩＰを利用して通話料金を抑制する通話料金抑制装置等に関する。
【背景技術】
【０００２】
近年、IP (Internet Protocol)ネットワーク上で音声通話を実現する技術であるボイスオーバアイピー（以下、「VoIP」と書く）が普及している。VoIPを利用した場合、一般に、固定電話網、携帯電話網等の公衆回線網を利用した場合に比べて低廉な料金で通話をすることができる。
【０００３】
特許文献１には、宅内電話装置及び宅内電話装置設置場所のVoIP回線を使い、外部から安価に長距離電話を利用することができる宅内電話装置が記載されている。この宅内電話装置では、固定電話回線から固定電話用ＮＣＵ（Network Control Unit）に着信があるとデータ通信回線へ接続要求を送出する。これを受けて発呼側装置から被呼側装置の電話番号に対応するプッシュ音が送出されると、この電話機を経由しデータ通信回線を通じで被呼側装置が呼び出される。
【０００４】
【特許文献１】特開２００４−２２９３１１号公報
【発明の開示】
【発明が解決しようとする課題】
【０００５】
しかしながら、特許文献１に記載の宅内電話装置においては、次のような課題がある。
第１の課題は、発信元の認証に、交換機からの電話番号通知と事前に登録した発信地電話番号を使っているため、特定の電話からしか利用できないということである。
交換機からの電話番号通知を必要としているため、電話番号通知が使用できない環境では発信元電話番号を受信できず利用することが出来ない。また、事前に発信元電話番号を登録する必要があるため、登録していない電話番号からは利用することが出来ない。
【０００６】
第２の課題は、発信元から宅内電話装置までの通話に一般電話回線を使用していることである。
発信元から宅内電話装置までの通話に一般電話回線を使用しているため、この区間に関して安価なVoIP回線を使うことが出来ない。また、一般回線による通話は距離により通話料金が変動する為、発信元の設置できる範囲が限定されてしまう。
【０００７】
本発明の目的は、以上の問題点を解決する通話料金抑制装置等を提供することにある。
【課題を解決するための手段】
【０００８】
本発明の通話料金抑制装置は、発信側装置からの接続要求を受信し回線を通話状態とする着信処理部と、発信側装置との通話状態を切断する回線切断処理部と、発信側装置の電話番号を取得する発信元電話番号解析部と、受信側装置の電話番号を取得する宛先電話番号解析部と、発信側装置と受信側装置にＶｏＩＰ網を介して接続要求を発信し回線を通話状態とする発信処理部と、発信側装置から受信したデータを受信側装置に、受信側装置から受信したデータを発信側装置に、それぞれ送信するルーティング処理部とを備えている。
【０００９】
上記通話料金抑制装置によれば、発信側装置から着信があった際に、一旦回線を接続し発信側装置の電話番号を取得してから回線を切断する。そして、VoIP網を介して発信側装置をコールバックするとともに、受信側装置の電話番号を取得して受信側装置にもＶｏＩＰ網を介して接続要求を送信して回線を接続する。両装置との間の回線が接続された後に、一方の装置から受信したデータを他方の装置に送信することにより、発信側装置と受信側装置がVoIP網を介して通話できるようにする。
【００１０】
本発明の、通話料金抑制プログラムおよび通話料金抑制方法によっても通話料金抑制装置と同様に上記の課題を解決することができる。
【発明の効果】
【００１１】
本発明によれば、電話料金抑制装置と発信側装置の間、電話料金抑制装置と受信側装置の間の通信にVoIP回線を利用しているので、安価な料金で発信側装置と受信側装置の間の通話を行うことができる。
【発明を実施するための最良の形態】
【００１２】
図を参照しながら本発明の第１の実施形態である通話料金抑制システム１０の構成と動作について説明する。
図１は、通話料金抑制システム１０の構成を示す全体図である。
通話料金抑制システム１０は、発信側装置１と、公衆回線網２と、VoIP網３と、宅内電話装置４と、着信側装置５から構成されている。
宅内電話装置４は、利用者の宅内に設置された電話装置で、VoIP網３に接続され、点線の矢印で示すように公衆回線網２とVoIP網３を介して発信側装置１及び着信側装置５との間で通話ができるように構成されている。例えば、固定電話機、パーソナルコンピュータ等のVoIPに対応した電話装置を、宅内電話装置４として利用することができる。
発信側装置１は、固定電話機、携帯電話機、ＰＨＳ端末等の通常の電話機で、公衆経線網２に接続されている。
公衆回線網２は、通常の固定電話網、携帯電話網等の電話回線網である。
VoIP網３は、インターネットを利用した通常のVoIP網である。公衆回線網２とVoIP網３は、図示しないゲートウェイ装置を介して接続されている。
着信側装置５は、固定電話機、携帯電話機、ＰＨＳ端末等の通常の電話機で、公衆経線網２に接続されている。
【００１３】
図２は、宅内電話装置４の構成を示す機能ブロック図である。
宅内電話装置４は、データ送受信部４１と、ルーティング制御部４２と、VoIP制御部４３と、音声-VoIPデータ変換部４４と、音声データ解析部４５から構成されている。
データ送受信部４１は、VoIP網３からデータを受信した場合、ルーティング制御部４２へデータを送信する。また、ルーティング制御部４２からデータを受信した場合、VoIP網３へデータを送信する。
【００１４】
ルーティング制御部４２は、データ送受信部４１から渡されたデータを解析し、適切なデータ処理を施した上でVoIP制御部４３に渡す。同様に、VoIP制御部４３から渡されたデータを解析し、適切なデータ処理を施した上でデータ送受信部４１に渡す。
【００１５】
VoIP制御部４３は、着信処理部４３１と、回線接続処理部４３２と、発信処理部４３３と、回線切断処理部４３４から構成されている。
着信処理部４３１は、ルーティング制御部４２から送られてくるVoIPデータを解析し必要に応じ着信処理を行う。
回線接続処理部４３２は、宅内電話装置４と発信側装置１の間および宅内電話装置４と着信側装置５の間の回線を接続し通話状態とする。
発信処理部４３３は、発信側装置１または着信側装置５に対しVoIP発信を行う。
回線切断処理部４３４は、宅内電話装置４と発信側装置１の間および宅内電話装置４と着信側装置５の間で通話状態となっている回線を切断する。
【００１６】
音声-VoIPデータ変換部４４は、VoIP制御部４３から送られてくるVoIPデータを音声データに変換し、音声データ解析部４５に送る。また、音声データ解析部４５から送られてくる、音声データをVoIPデータに変換し、VoIP制御部４３に送る。
【００１７】
音声データ解析部４５は、パスワード解析部４５１と、発信元電話番号解析部４５２と、宛先電話番号解析部４５３から構成されている。
パスワード解析部４５１は、発信側装置１に対しパスワード入力を要求し、音声-VoIPデータ変換部４４から送られてきた音声データからプッシュ音によりパスワードを取得し利用者の認証を行う。
発信元電話番号解析部４５２は、VoIP制御部４３から発信元電話番号を取得する。
宛先電話番号解析部４５３は、発信側装置１に対し着信側装置５の電話番号の入力を要求し、音声-VoIPデータ変換部４４から送られてきた音声データからプッシュ音により宛先電話番号を取得する。
【００１８】
次に図１に示すブロック図、図２に示すブロック図、図３に示す宅内電話装置のフローチャートを参照して、宅内電話装置４の動作について詳細に説明する。
発信側装置１は、宅内電話装置４に対し電話発信をする。
データ送受信部４１は、発信側装置１からの発信を公衆回線網２と、VoIP網３を経て、VoIPデータとして受信する。データ送受信部４１は、受信したVoIPデータをルーティング制御部４２に送る。
ルーティング制御部４２は、受信したVoIPデータが宅内電話装置４宛てのデータであると認識すると、VoIP制御部４３にデータを送る。
【００１９】
VoIP制御部４３は、宅内電話装置４宛てのVoIP接続要求を受信すると（Ｓ１の判定がイエス）、着信処理部４３１で着信処理を行い、回線接続部４３２で発信側装置１との間を通話状態とする（Ｓ２）。通話状態となると、VoIP制御部４３は、発信側装置１から送られてくるVoIPデータを音声-VoIPデータ変換部４４に送信する。音声-VoIPデータ変換部４４は、VoIP制御部４３から送られてくるVoIPデータを音声データに変換し、音声データ解析部４５に送信する。
【００２０】
音声データ解析部４５のパスワード解析部４５１は、発信側装置１に対し例えば音声ガイダンスによりパスワード入力を要求する。発信側装置１からのプッシュ音によるパスワード入力が行われると、パスワード解析部４５１は、予め記憶されたパスワードと受信したパスワードが一致しているか否かによって、受信したパスワードが正しいパスワードであるか否かを判定する。正しいパスワードが得られなかった場合（Ｓ３の判定がノー）、発信側装置１と間の回線を切断し（Ｓ１５）、処理を終了する（Ｓ１６）。
なお、パスワードの入力はプッシュ音には限定されない。例えば、利用者が発信側装置１に音声でパスワード入力し、この音声をパスワード解析部４５１が音声認識してパスワードを取得するようにしても良い。
【００２１】
正しいパスワードが入力された場合（Ｓ３の判定がイエス）、発信元電話番号解析部４５２に処理を移す。
音声データ解析部４５の発信元電話番号解析部４５２は、交換機から送られてくる発信元電話番号通知を解析する（Ｓ４）。有効な電話番号が得られた場合、VoIP制御部４３に処理を移す（Ｓ４の判定がイエス、Ｓ５）。有効な電話番号が得られなかった場合、宛先電話番号解析部４５３に処理を移す（Ｓ４の判定がノー、Ｓ１０）。
【００２２】
Ｓ４で有効な電話番号が得られた場合、VoIP制御部４３の回線切断処理部４３４は、発信側装置１との通話状態を切断する（Ｓ５）。
VoIP制御部４３の発信処理部４３３は、発信元電話番号解析部４５２で取得した発信側装置１の電話番号宛にVoIP発信をする（Ｓ６）。
【００２３】
発信側装置１が着信する（Ｓ７の判定がイエス）と回線接続処理部４３２により通話状態となる（Ｓ８）。発信側装置１の着信が確認できない場合（Ｓ７の判定がノー）は、処理を終了する（Ｓ１７）。
【００２４】
音声データ解析部４５のパスワード解析部４５１は、再度、発信側装置１に対し例えば音声ガイダンスによりパスワード入力を要求する。パスワード解析部４５１は、発信側装置１からのプッシュ音によるパスワード入力を受け、Ｓ３と同様にしてそのパスワードが正しいものであるか否かを判定し、正しいパスワードが得られなかった場合（Ｓ９の判定がノー）、回線を切断し（Ｓ１５）処理を終了する（Ｓ１６）。
【００２５】
正しいパスワードが入力された場合（Ｓ９の判定がイエス）、または、Ｓ４で有効な電話番号が得られなかった場合は、宛先話番号解析部４５３に処理を移す。
音声データ解析部４５の宛先電話番号解析部４５３は、発信側装置１に対し例えば音声ガイダンスにより宛先電話番号の入力を要求する。発信側装置１からのプッシュ音による宛先電話番号の入力を受け取り（Ｓ１０）、VoIP制御部４３に処理を移す。この宛先電話番号の入力は、Ｓ４で有効な電話番号が得られコールバックが行われた場合にはＳ８で接続された回線、そうでない場合には、Ｓ２で接続された回線を介して行われる。
なお、宛先電話番号の入力も、パスワードと同様にプッシュ音以外の方法で行うことができる。
【００２６】
VoIP制御部４３の発信処理部４３３は、宛先電話番号解析部４５３で取得した着信側装置５の電話番号宛にVoIP発信をする（Ｓ１１）。着信側装置５が着信する（Ｓ１２）と回線接続処理部４３２により通話状態となる（Ｓ１３）。
【００２７】
ルーティング制御部４２は、発信側装置１からの宅内電話装置４宛のVoIP通話データを着信側装置５へ送信し、着信側装置５からの宅内電話装置４宛のVoIP通話データを発信側装置１へ送信することにより、発信側装置１と着信側装置５の間は通話状態となる（Ｓ１４）。
尚、上記のいずれのステップにおいても、公衆回線網２側またはVoIP網３側から回線が切断された場合は、処理を終了する。
【００２８】
通話料金抑制システム１０は、以下に記載するような効果を奏する。
VoIP制御部４３は、発信側装置１からの着信に対して一旦回線を接続して通話状態とし発信側装置１の電話番号を取得した後に切断する。そして、VoIP網３を介して発信側装置１と着信側装置５との間の回線を通話状態とする。ルーティング制御部４２は、発信側装置１から受信したデータを着信側装置５に、着信側装置１から受信したデータを発信側装置５に、それぞれ送信することにより、発信側装置１と受信側装置５がVoIP網３を介して通話できるようにする。
そのため、発信側装置１と受信側装置５との間で、常に安価な料金で通話を行うことができる。
また、発信側装置１の電話番号が取得できなかった場合でも、図３のＳ２で接続された回線を利用してＳ１０以下の処理を行うようにし、宅内電話装置４と着信側装置５との間はVoIP網３を介して接続している。
そのため、発信側装置１をコールバックできない場合でも、発信側装置１と受信側装置５は、公衆回線網２を介して直接通話する場合に比べて安価に通話を行うことができる。
【００２９】
パスワードによる利用者の認証を行っているので、正当な利用者だけが宅内電話装置４を利用できる。また、認証を発信側装置１の電話番号で行う場合と異なり、発信側装置１として任意の場所に設置された任意の電話装置を用いることができる。例えば、公衆電話機や海外に設置された固定電話機も発信側装置１として用いることができる。さらに、技術的には、他人（利用者以外の者）が料金を負担する電話機・回線からでも宅内電話装置４を利用することができる（前記の他人が負担する料金は、図３のＳ１からＳ５までの間の通話料金である）。
【００３０】
次に、図を参照しながら本発明の第２の実施形態である通話料金抑制システム１１の構成と動作について説明する。以下、図１の通話料金抑制システム１０と共通する構成要素には、図面に同一の符号を付して説明を省略する。
図４は、通話料金抑制システム１１の構成を示す全体図である。
通話料金抑制システム１０は、発信側装置１と、公衆回線網２と、VoIP網３と、宅内電話装置６と、着信側装置５から構成されている。
電話システム１１では、宅内電話装置６がVoIP３に加えて公衆回線網２にも接続され、発信側装置１からの接続要求を一般のアナログ回線で受ける事も可能である点が図１の電話システム１０と異なっている。
【００３１】
図５は、宅内電話装置６の構成を示す機能ブロック図である。
宅内電話装置６は、図２の宅内電話装置４の構成に加えてアナログ回線制御部６６を備えている。
アナログ回線制御部６６は、着信処理部６６１と、発信元電話番号取得部６６２と、回線接続処理部６６３と、回線切断処理部６６４から構成される。
着信処理部６６１は、発信側装置１からの発信を検知する。
発信元電話番号取得部６６２は、交換機から送信された発信元電話番号通知を取得する。
回線接続処理部６６３は、アナログ回線を閉結して宅内電話装置６と発信側装置１との間を通話状態とする。
回線切断処理部６６４は、回線接続処理部６６３により確立された通話状態を切断する。
【００３２】
図６は、宅内電話装置６の動作を示すフローチャートである。動作の概要は、図３と同様であるが発信元番号取得処理（Ｓ１１８）が加わる点が図３と異なっている。
発信側装置１は、宅内電話装置６に対し公衆回線網２を介して電話発信をする。
アナログ回線処理部６６の着信処理部６６１は、発信側装置１の発信を検知する（Ｓ１０１の判定がイエス）と、発信元電話番号取得部６６２により交換機から送られてくる発信元電話番号通知を取得（Ｓ１１８）した後、回線接続処理部６６３により回線を閉結し、宅内電話装置６と発信側装置１との間を通話状態とする（Ｓ１０２）。
【００３３】
音声データ解析部４５のパスワード解析部４５１は、発信側装置１に対し例えば音声ガイダンスによりパスワード入力を要求する。発信側装置１からのプッシュ音によるパスワード入力が行われると、正しいパスワードが得られなかった場合（Ｓ１０３の判定がノー）、回線切断処理部６６３により回線を開放し通話状態を切断し（Ｓ１１５）、処理を終了する（Ｓ１１６）。
【００３４】
正しいパスワードが入力された場合（Ｓ１０３の判定がイエス）、発信元電話番号取得部６６２に処理を移す。
音声データ解析部４５の発信元電話番号解析部４５２は、発信元電話番号取得部６６２で取得した発信元電話番号通知を解析する（Ｓ１０４）。有効な電話番号が得られた場合（Ｓ１０４の判定がイエス）、アナログ回線制御部６６に処理を移す。有効な電話番号が得られなかった場合（Ｓ１０４の判定がノー）、宛先電話番号解析部４５３に処理を移す（Ｓ１０４の判定がノー、Ｓ１１０）。
【００３５】
Ｓ１０４で有効な電話番号が得られた場合、アナログ回線制御部６６の回線切断処理部６６４は、発信側装置１との通話状態を切断する（Ｓ１０５）。
VoIP制御部４３の発信処理部４３３は、発信元電話番号解析部４５２で取得した発信側装置１の電話番号宛にVoIP発信をする（Ｓ１０６）。
【００３６】
発信側装置１が着信する（Ｓ１０７の判定がイエス）と回線接続処理部４３２により通話状態となる（Ｓ８）。発信側装置１の着信が確認できない場合（Ｓ１０７の判定がノー）は、処理を終了する（Ｓ１１７）。
【００３７】
音声データ解析部４５のパスワード解析部４５１は、再度、発信側装置１に対し例えば音声ガイダンスによりパスワード入力を要求する。パスワード解析部４５１は、発信側装置１からのプッシュ音によるパスワード入力を受け、Ｓ１０３と同様にしてそのパスワードが正しいものであるか否かを判定し、正しいパスワードが得られなかった場合（Ｓ１０９の判定がノー）、回線を切断し（Ｓ１０５）処理を終了する（Ｓ１１６）。
【００３８】
正しいパスワードが入力された場合（Ｓ１０９の判定がイエス）、または、Ｓ１０４で有効な電話番号が得られなかった場合は、宛先話番号解析部４５３に処理を移す。
音声データ解析部４５の宛先電話番号解析部４５３では、発信側装置１に対し例えば音声ガイダンスにより着信側装置５の電話番号の入力を要求する。発信側装置１からのプッシュ音による宛先電話番号の入力を受け取り（Ｓ１１０）、VoIP制御部４３６に処理を移す。
【００３９】
VoIP制御部４３の発信処理部４３３では、宛先電話番号解析部４５３で取得した着信側装置５の電話番号宛にVoIP発信をする（Ｓ１１１）。着信側装置５が着信する（Ｓ１１２）と回線接続処理部４３２により通話状態となる（Ｓ１１３）。
【００４０】
ルーティング制御部４２では、発信側装置１からの宅内電話装置宛のVoIP通話データを着信側装置５へ送信し、着信側装置５からの宅内電話装置宛のVoIP通話データを発信側装置１へ送信することにより、発信側装置１と着信側装置５の間は通話状態となる（Ｓ１１４）。
尚、上記のいずれのステップにおいても、公衆回線網２側またはVoIP網３側から回線が切断された場合は、処理を終了する。
【００４１】
通話料金抑制システム１１によっても、通話料金抑制システム１０と同様の効果を得ることができる。
【図面の簡単な説明】
【００４２】
【図１】本発明の第１の実施形態である電話料金抑制システムの構成図である。
【図２】図１の宅内電話装置の機能ブロック図である。
【図３】図１の宅内電話装置の動作を示すフローチャートである。
【図４】本発明の第２の実施形態である電話料金抑制システムの構成図である。
【図５】図４の宅内電話装置の機能ブロック図である。
【図６】図４の宅内電話装置の動作を示すフローチャートである。
【符号の説明】
【００４３】
１  発信側装置
２  公衆回線網
３  VoIP網
４、６  宅内電話装置
５  着信側装置
１０、１１  通話料金抑制システム
４１  データ送受信部
４２  ルーティング制御部
４３  VoIP制御部
４３１  着信処理部
４３２  回線接続処理部
４３３  発信処理部
４３４  回線切断処理部
４４  音声-VoIPデータ変換部
４５  音声データ解析部
４５１  パスワード解析部
４５２  発信元電話番号解析部
４５３  宛先電話番号解析部
６６  アナログ回線制御部
６６１  着信処理部
６６２  発信元電話番号取得部
６６３  回線接続処理部
６６４  回線切断処理部
【図１】
2008258963.tif 000003
【図２】
2008258963.tif 000004
【図３】
2008258963.tif 000005
【図４】
2008258963.tif 000006
【図５】
2008258963.tif 000007
【図６】
2008258963.tif 000008